(57)【要約】【課題】  本発明の課題は、モータの小型化を図ると共に簡易な構成でモータ内の冷却効果を得ることができるコアレスモータを得ることである。【解決手段】  本発明のコアレスモータは、モータハウジング３と、モータハウジング３の内側に配置された回転軸５と、回転軸５と一体に回転する円筒状のコイル７と、コイル７の内周側に配置されたマグネット６と、コイル７に給電を行なう整流子２１とを備え、整流子２１はコイル７の側端に取り付けられると共にコイル７と一体になって回転しており、整流子２１には送風羽根２７が形成されている。【選択図】      図１
2007037228.tif 000002
【特許請求の範囲】
【請求項１】
モータハウジングと、モータハウジングの内側に配置された回転軸と、回転軸と一体に回転する円筒状のコイルと、コイルの内周側に配置されたマグネットと、コイルに給電を行なう整流子とを備え、整流子はコイルの側端に取り付けられると共にコイルと一体になって回転しており、整流子には送風羽根が形成されていることを特徴とするコアレスモータ。
【請求項２】
送風羽根は整流子片に形成されたねじれ部であることを特徴とする請求項１に記載のコアレスモータ。
【請求項３】
送風羽根は回転軸の軸方向に突設する突設部であることを特徴とする請求項１に記載のコアレスモータ。
【発明の詳細な説明】
【技術分野】
【０００１】
本発明は、コアレスモータに関する。
【背景技術】
【０００２】
特許文献１には、駆動モータにおいて、モータハウジング内に冷却ファンを設けてハウジング内の放熱を図る技術が開示されている。
【０００３】
【特許文献１】特開２００１−６１２５７号公報
【発明の開示】
【発明が解決しようとする課題】
【０００４】
しかし、特許文献１に記載の従来技術は、モータハウジング内に冷却ファンを設けてあるため、部品点数が多くなりコスト高になるという問題があった。また、冷却ファンを設けるためのスペースが別途必要となり、構成が複雑になると共にモータの小型化を図り難いという問題がある。
【０００５】
本発明は、モータの小型化を図ると共に簡易な構成でモータ内の冷却効果を得ることができるコアレスモータを得ることを目的とする。
【課題を解決するための手段】
【０００６】
前記課題を解決するために、請求項１に記載された発明は、モータハウジングと、モータハウジングの内側に配置された回転軸と、回転軸と一体に回転する円筒状のコイルと、コイルの内周側に配置されたマグネットと、コイルに給電を行なう整流子とを備え、整流子はコイルの側端に取り付けられると共にコイルと一体になって回転しており、整流子には送風羽根が形成されていることを特徴とする。
【０００７】
請求項２に記載された発明は、請求項１に記載の発明において、送風羽根は整流子片に形成されたねじれ部であることを特徴とする。
【０００８】
請求項３に記載された発明は、請求項１に記載の発明において、送風羽根は回転軸の軸方向に突設する突設部であることを特徴とする。
【発明の効果】
【０００９】
請求項１に記載の発明によれば、整流子からの給電をコイルが受けると、マグネットとコイルとの間に生じる電磁力により回転軸が回転し、回転軸と一体にコイル及び整流子が回転する。整流子が回転すると、整流子に形成された送風羽根により、回転軸方向に沿って気流の流れが生じる。このように、整流子に送風羽根が形成されているので、従来技術のように送風羽根をハウジング内に別途設ける必要がなく、モータの小型化を図ると共に簡易な構成でモータ内の冷却効果を得ることができる。
【００１０】
請求項２に記載された発明によれば、請求項１に記載の発明と同様の効果を奏すると共に、整流子をねじって形成してあるので、既存の整流子に簡単な加工を施すだけで良く、製造が容易である。
【００１１】
請求項３に記載された発明によれば、請求項１に記載の発明と同様の効果を奏すると共に、送風羽根が回転軸の軸方向に突設する突設部としてあるので、既存の整流子に簡単な加工を施すだけで良く、製造が容易である。
【００１２】
突設部の形状や傾きを変えるだけで、容易に気流の強さや速さを変えることができる。
【発明を実施するための最良の形態】
【００１３】
以下に、添付図面を参照して、本発明の実施の形態を詳細に説明する。図１は本実施の形態に係るコアレスモータを概略的に示す縦断面図、図２は図１の整流子を抜き出して示す平面図、図３は整流子を拡大して示す斜視図である。
【００１４】
本実施の形態に係るコアレスモータ１は、磁性体でできた中空形状のモ−タハウジング３と、モ−タハウジング３の内側に配置された回転軸５と、コイル７と、コイル７の内周側に配置されたマグネット６とを備えており、回転軸５とコイル７とは連結ホルダ９で固定され、コイル７と回転軸５とが一体に回転するようになっている。また、回転軸５は軸線上に配置された２つの軸受け１３、１５で支持されている。
【００１５】
連結ホルダ９には周方向に沿って開口１０が形成されており、係る開口１０を通って空気が出入りしている。
【００１６】
モータハウジング３の他端側には一対のブラシ２１を保持するブラシ保持部１９と、ブラシ保持部１９に接続された２本のリード線１７、１８とを備え、一方のブラシ２１はリード線１７を介して正極電源端子に電気的に接続しており、図示しない他方のブラシ２１はリード線１８を介して負極電源端子に電気的に接続している。ブラシ保持部１９には複数の通風孔２４が形成されている。
【００１７】
回転軸５の他端側には整流子ユニット２３が設けられており、係る整流子ユニット２３には図２に示すように、複数の整流子２５が放射状に配置されている。整流子２５は略Ｌ字状に形成された整流子片からなり、Ｌ字に形成された整流子片の一方の端部２５ａがブラシ２１に摺接するようになっており、他方の端部２５ｂがコイル７の側端に固定されている。
【００１８】
整流子２５には送風羽根２７が形成されており、送風羽根２７は整流子片に形成されたねじり部である。送風羽根２７は一方の側端２７ａが平坦面に対して回転軸方向の他端側に向って略４５度傾斜しており、他方の側端２７ｂが平坦面に対して回転軸方向の一端側に向って略４５度傾斜している。
【００１９】
次に、本実施の形態に係るコアレスモータの作用及び効果を説明する。ブラシ２１に流入した電流は、ブラシ２１に摺接する整流子２５に入って、次いでコイル７に給電される。コイル７が給電を受けると、マグネット６とコイル７との間に生じる電磁力により回転軸５が回転すると共に、回転軸５の回転に伴ってコイル７及び整流子２５が回転する。
【００２０】
整流子２５が回転すると、整流子２５に形成された送風羽根２５により、回転軸方向に沿って空気の流れが生じる。モータハウジング３内で発生した熱は、図１の２点鎖線で示すように、連結ホルダ９の開口１０を通り、ブラシ保持部１９に形成された通風孔２４からハウジング外に排気される。
【００２１】
本実施の形態では、整流子２５に送風羽根２７が形成されているので、従来技術のように送風羽根２７をハウジング内に別途設ける必要がなく、モータの小型化を図ると共に簡易な構成でモータ内の冷却効果を得ることができる。
【００２２】
送風羽根２７は整流子２５をねじって形成してあるので、既存の整流子に簡単な加工を施すだけで良く、製造が容易である。
【００２３】
なお、本発明は上述した実施の形態に限定されず、その要旨を逸脱しない範囲で種々の変形が可能である。図４に示すように送風羽根２７は軸方向に突設する長方形状の突設部２９を設けてあっても良い。この場合、突設部２９の形状や傾きを変えるだけで、容易に気流の強さや速さを変えることができる。
【００２４】
突設部２９は整流子片の一方の側端のみに設けてあっても良い。
【００２５】
図５に示すように、送風羽根２７のねじりは整流子片の一方の側端２７ａ及び他方の側端２７ｂのいずれか一方のみが傾斜してあっても良い。
【００２６】
図３におけるねじりの角度は平坦面に対して略４５度傾けることに限らず、傾斜角度は任意の角度に設けて良い。
【００２７】
上述の実施形態において、放射状になった複数の整流子片すべてに送風羽根２７を設けることに限らず、一部の整流子片に送風羽根２７を設けても良い。
【図面の簡単な説明】
【００２８】
【図１】本実施の形態に係るコアレスモータを概略的に示す縦断面図である。
【図２】図１に示す整流子を抜き出して示す平面図である。
【図３】図２に示す整流子の一つを抜き出して示す斜視図である。
【図４】図３に示す整流子の変形例を示す斜視図である。
【図５】図３に示す整流子の変形例を示す斜視図である。
【符号の説明】
【００２９】
１          コアレスモータ
３          モータハウジング
５          回転軸
７          コイル
２５        整流子
２７        送風羽根
２９        突設部
【図１】
2007037228.tif 000003
【図２】
2007037228.tif 000004
【図３】
2007037228.tif 000005
【図４】
2007037228.tif 000006
【図５】
2007037228.tif 000007